(57)【要約】【課題】試料採取能力の向上および人的労力の低減を図ることができる不攪乱試料採取装置の補助具を提供する。【解決手段】不攪乱試料採取装置の補助具において、脚取付ブロック２，３を備えた架台１と、この架台１に連結される試料採取箇所近傍への打ち込み棒４と、前記架台１上に搭載される試料採取装置本体５と、この試料採取装置本体５に連結され、前記架台１に沿って前記試料採取装置本体５を試料採取方向へ移動させて掘削し、試料の採取を可能にするスライド機構６と、このスライド機構６を操作するトグル機構を用いたハンドル７とを具備する。【選択図】図１
2008255675.tif 000002
【特許請求の範囲】
【請求項１】
（ａ）脚取付ブロックを備えた架台と、
（ｂ）該架台に連結される試料採取箇所近傍への打ち込み棒と、
（ｃ）前記架台上に搭載される試料採取装置本体と、
（ｄ）該試料採取装置本体に連結され、前記架台に沿って前記試料採取装置本体を試料採取方向へ移動させて掘削し、試料の採取を可能にするスライド機構と、
（ｅ）該スライド機構を操作するトグル機構を用いたハンドルとを具備することを特徴とする不攪乱試料採取装置の補助具。
【請求項２】
請求項１記載の不攪乱試料採取装置の補助具において、前記脚取付ブロックを回転可能にし、鉛直下向きから１２０度の角度で試料採取を可能にしたことを特徴とする不攪乱試料採取装置の補助具。
【発明の詳細な説明】
【技術分野】
【０００１】
本発明は、軟岩地山でのトンネル掘削における地山の性状などを調べる不攪乱試料採取装置の補助具に関するものである。
【背景技術】
【０００２】
従来、上記したトンネル掘削における地山の性状などを調べる場合に、乱れのない試料を採取することが必要であった。
【非特許文献１】木谷日出男・太田岳洋（１９９９）「砂質土トンネル切羽の自立性評価試験法に関する研究」，応用地質，Ｖｏｌ．４０，Ｎｏ．５，ｐｐ．２７０−２８０
【発明の開示】
【発明が解決しようとする課題】
【０００３】
しかしながら、従来の装置は、人力による掘削機構となっていたため、ドリル回転時の芯振れ、押し込み速度のばらつき等により、採取試料周辺の乱れや、採取試料内部での亀裂の発生などが生じていた。また、採取対象とする地盤の固さによっては、人力での押し込みが困難となる場合があった。
【０００４】
本発明は、上記状況に鑑みて、試料採取能力の向上および人的労力の低減を図ることができる不攪乱試料採取装置の補助具を提供することを目的とする。
【課題を解決するための手段】
【０００５】
本発明は、上記目的を達成するために、
〔１〕不攪乱試料採取装置の補助具において、脚取付ブロックを備えた架台と、この架台に連結される試料採取箇所近傍への打ち込み棒と、前記架台上に搭載される試料採取装置本体と、この試料採取装置本体に連結され、前記架台に沿って前記試料採取装置本体を試料採取方向へ移動させて掘削し、試料の採取を可能にするスライド機構と、このスライド機構を操作するトグル機構とを具備することを特徴とする。
【０００６】
〔２〕上記〔１〕記載の不攪乱試料採取装置の補助具において、前記脚取付ブロックを回転可能にし、鉛直下向きから１２０度の角度で試料採取を可能にしたことを特徴とする。
【発明の効果】
【０００７】
本発明によれば、次のような効果を奏することができる。
【０００８】
（１）打ち込み棒を地山に打ち込むことにより、架台が試料採取箇所に固定されるため、試料採取のための掘削時の架台の回転を防ぐことができる。
【０００９】
（２）乱れの少ない試料採取装置を架台に載せて、スライド機構を前後させるため、試料採取時の軸芯のブレが抑えられる。
【００１０】
（３）スライド機構の操作のためにトグル機構を用いることで、試料採取時の押し込み力の省力化を図ることができる。
【００１１】
（４）脚取付ブロックが３６０°回転可能なため、鉛直下向き〜１２０°の角度で試料採取が可能である。また、部品は全て分解可能であるため、運搬も容易である。
【発明を実施するための最良の形態】
【００１２】
本発明の不攪乱試料採取装置の補助具は、脚取付ブロックを備えた架台と、この架台に連結される試料採取箇所近傍への打ち込み棒と、前記架台上に搭載される試料採取装置本体と、この試料採取装置本体に連結され、前記架台に沿って前記試料採取装置本体を試料採取方向へ移動させて掘削し、試料の採取を可能にするスライド機構と、このスライド機構を操作するトグル機構とを具備する。
【実施例】
【００１３】
以下、本発明の実施の形態について詳細に説明する。
【００１４】
図１は本発明の第１実施例を示す不攪乱試料採取装置の補助具による試料採取状態（水平状態）を示す図、図２はその不攪乱試料採取装置の補助具斜視図、図３はその不攪乱試料採取装置（試料採取装置本体が外された状態）の補助具の斜視図である。
【００１５】
これらの図において、１は架台、２，３はその架台１を支持する脚取付ブロック、４は試料採取箇所近傍への打ち込み棒、５は架台１上に搭載される試料採取装置本体、６は試料採取装置本体５に連結され、架台１に沿って試料採取装置本体５を試料採取箇所へ移動させて掘削し、試料の採取を可能にするスライド機構、７はそのスライド機構６を操作するトグル機構を用いたハンドルである。なお、試料採取装置本体５は、ドリル本体５Ａとそのドリル本体５Ａに連結される試料採取のための掘削装置５Ｂとこの掘削装置５Ｂの内部に収納される採取された試料を入れる試料収納筒５Ｃが設けられており、試料採取装置本体５の電源に接続されるスイッチ８の操作により、試料採取装置本体５が駆動されるようになっている。９は試料採取箇所（地山）である。
【００１６】
不攪乱試料採取装置の補助具は、架台１の脚取付ブロック２，３を図１のように配置して、まず、試料採取箇所近傍へ打ち込み棒４を打ち込み、架台１を安定な状態にして、架台１上に搭載される試料採取装置本体５を駆動する。次いで、トグル機構を用いたハンドル７の操作によって、スライド機構６に連結された架台１上に搭載される試料採取装置本体５を水平方向に進めることにより、試料採取装置本体５によって試料採取箇所９の試料を採取することができる。その場合、打ち込み棒４を試料採取箇所近傍に打ち込むようにしたので、試料採取箇所９に試料採取装置は固定され、試料採取のための掘削時の架台１の回転を防ぐことができる。また、乱れの少ない試料採取装置本体５を架台１に載せて、スライド機構６を前後させるため、試料採取時の軸芯のブレが抑えられる。さらに、スライド機構６の操作のためのトグル機構を用いたハンドル７の操作により、試料採取時の押し込み力の省力化を図ることができる。
【００１７】
このように、不攪乱試料採取装置の補助具は、水平状態にセットすることで、水平方向の試料採取箇所９の試料を、安定した状態で、試料採取時の軸芯のブレがなく、採取することができる。
【００１８】
図４は本発明の具体例を示す不攪乱試料採取装置の補助具の平面図、図５はその不攪乱試料採取装置の補助具の右側面図、図６はその不攪乱試料採取装置の補助具の左側面図、図７はその不攪乱試料採取装置の補助具の側面図、図８はその左側面図である。
【００１９】
これらの図において、１１はベース、１２はドリル先端受け具、１３は押さえ金具、１４はドリル本体受け具、１５は支点ブロック、１６はてこ腕（Ａ）、１７はてこ腕（Ｂ）、１８は脚取付ブロック、１９は脚ブロック、２０は脚パイプ、２１は締付けナット、２２は締付けリング、２３は打ち込み棒、２４はてこ棒、２５は抜け止めリング、２６は前固定ブロック、２７は中固定ブロック、２８は回転ブロック、２９は後固定ブロック、３０は案内軸、３１はシャフトホルダ、３２はリニアブッシュ、３３，４０はピン、３４はＣ形止め輪、３５はコイルバネ、３６，３７はクランクレバー、３８は締付け六角ボルト、３９はピン保持ブロックである。
【００２０】
なお、運搬時の効率性をよくするために、シャフトホルダ３１、案内軸３０および各固定ブロック２６，２７，２９以外は、ベース１１から取り外しが可能である。
【００２１】
本発明によれば、脚取付ブロックを回転可能にし、鉛直下向きから１２０度の角度で試料採取を可能にすることができる。
【００２２】
図９は本発明の第２実施例を示す不攪乱試料採取装置の補助具による試料採取状態（鉛直状態）を示す図である。
【００２３】
この図において、５１は架台、５２，５３はその架台５１を支持する脚取付ブロック、５４は試料採取箇所近傍への打ち込み棒、５５は架台５１上に搭載される試料採取装置本体、５６は試料採取装置本体５５に連結され、架台５１に沿って試料採取装置本体５５を試料採取箇所へ移動させて掘削し、試料の採取を可能にするスライド機構、５７はそのスライド機構５６を操作するトグル機構を用いたハンドルである。なお、試料採取装置本体５５は、ドリル本体５５Ａとそのドリル本体５５Ａに連結される試料採取のための掘削装置５５Ｂとこの掘削装置５５Ｂの内部に収納される採取された試料を入れる試料収納筒５５Ｃが設けられており、試料採取装置本体５５の電源に接続されるスイッチ５８の操作により、試料採取装置本体５５が駆動されるようになっている。５９は試料採取箇所である。
【００２４】
このように、不攪乱試料採取装置の補助具は、架台５１の脚取付ブロック５２，５３を図９のように配置し、鉛直状態にセットすることで、鉛直下の試料採取箇所５９の試料を、安定した状態で、試料採取時の軸芯のブレがなく採取することができる。
【００２５】
作業条件としては、（１）穿孔角度０°（鉛直）〜１２０°、（２）作業高さは４０ｃｍ〜１００ｃｍが標準、作業人員２名（標準）である。
【００２６】
また、トンネルなどの吹く付けコンクリートなどから検査用のコアを抜く場合など、従来では坑壁にドリルをボルトで固定するなどの手法がとられていたが、本装置を応用することで、短時間に試料を採取することができる。
【産業上の利用可能性】
【００２７】
本発明の不攪乱試料採取装置の補助具は、トンネル切羽における不攪乱試料採取装置の補助具等として利用可能である。
【図面の簡単な説明】
【００２８】
【図１】本発明の第１実施例を示す不攪乱試料採取装置の補助具による試料採取状態（水平状態）を示す図である。
【図２】本発明の第１実施例を示す不攪乱試料採取装置の補助具の斜視図である。
【図３】本発明の第１実施例を示す不攪乱試料採取装置（試料採取装置本体が外された状態）の補助具の斜視図である。
【図４】本発明の具体例を示す不攪乱試料採取装置の補助具の平面図である。
【図５】図４の右側面図である。
【図６】図４の左側面図である。
【図７】本発明の具体例を示す不攪乱試料採取装置の補助具の側面図である。
【図８】図７の左側面図である。
【図９】本発明の第２実施例を示す不攪乱試料採取装置の補助具による試料採取状態（鉛直状態）を示す図である。
【符号の説明】
【００２９】
１，５１    架台
２，３，１８，５２，５３    脚取付ブロック
４，２３，５４    打ち込み棒
５，５５    試料採取装置本体
５Ａ，５５Ａ    ドリル本体
５Ｂ，５５Ｂ    掘削装置
５Ｃ，５５Ｃ    試料収納筒
６，５６    スライド機構
７，５７    トグル機構を用いたハンドル
８，５８    スイッチ
９，５９    試料採取箇所
１１    ベース
１２    ドリル先端受け具
１３    押さえ金具
１４    ドリル本体受け具
１５    支点ブロック
１６    てこ腕（Ａ）
１７    てこ腕（Ｂ）
１９    脚ブロック
２０    脚パイプ
２１    締付けナット
２２    締付けリング
２４    てこ棒
２５    抜け止めリング
２６    前固定ブロック
２７    中固定ブロック
２８    回転ブロック
２９    後固定ブロック
３０    案内軸
３１    シャフトホルダ
３２    リニアブッシュ
３３，４０    ピン
３４    Ｃ形止め輪
３５    コイルバネ
３６，３７    クランクレバー
３８    締付け六角ボルト
３９    ピン保持ブロック
【図１】
2008255675.tif 000003
【図４】
2008255675.tif 000004
【図５】
2008255675.tif 000005
【図６】
2008255675.tif 000006
【図７】
2008255675.tif 000007
【図８】
2008255675.tif 000008
【図９】
2008255675.tif 000009
【図２】
2008255675.tif 000010
【図３】
2008255675.tif 000011